(57)【特許請求の範囲】
【請求項１】
テープ状の情報記録媒体の信号を再生したりテープ状の情報記録媒体に信号を記録するための回転磁気ドラム装置に配置される磁気信号伝送装置であり、
前記回転磁気ドラム装置の回転体に配置される回転伝送部と、
前記回転伝送部に対面して配置するように前記回転磁気ドラム装置の固定体に配置される固定伝送部と、
を有し、
前記回転伝送部は、磁界を発生して前記固定伝送部側に伝送する第１コイルと、磁界を検出する第１磁界検出素子を備え、
前記固定伝送部は、磁界を発生して前記回転伝送部の前記第１磁界検出素子に伝送すると共に前記第１磁界検出素子に対向して配置されたリング状の第２コイルと、前記回転伝送部の前記第１コイルの発生する磁界を検出すると共に前記第１コイルと対向して配置された第２磁界検出素子を備え、
前記第１磁界検出素子は、前記回転伝送部に埋め込まれて取り付けられ、
前記第２磁界検出素子は、前記固定伝送部に埋め込まれて取り付けられた
ことを特徴とする磁気信号伝送装置。
【請求項２】
前記回転伝送部の前記第１コイルと前記第１磁界検出素子は、円盤型のコアに配置され、前記第１磁界検出素子はホール素子または磁気抵抗素子である請求項１に記載の磁気信号伝送装置。
【請求項３】
前記固定伝送部の前記第２コイルと前記第２磁界検出素子は、円盤型のコアに配置され、前記第２磁界検出素子はホール素子または磁気抵抗素子である請求項１に記載の磁気信号伝送装置。
【請求項４】
前記第１コイルには、前記テープ状の情報記録媒体の信号を再生する再生ヘッドの再生信号が供給される請求項１に記載の磁気信号伝送装置。
【請求項５】
前記第２コイルには、前記テープ状の情報記録媒体に信号を記録するための記録信号が供給される請求項１に記載の磁気信号伝送装置。
【請求項６】
テープ状の情報記録媒体の信号を再生したりテープ状の情報記録媒体に信号を記録するための回転磁気ドラム装置であり、
固定体と、
前記固定体に対して回転し、前記テープ状の情報記録媒体の信号を再生する再生用のヘッド、または前記再生用のヘッドと前記テープ状の情報記録媒体に信号を記録する記録用のヘッドを有する回転体と、
前記固定体と前記回転体の間で非接触で磁気信号のやりとりを行うための磁気信号伝送装置と、
を有し、
前記磁気信号伝送装置は、
前記回転体に配置される回転伝送部と、
前記回転伝送部に対面して配置するように前記固定体に配置される固定伝送部とを有し、
前記回転伝送部は、磁界を発生して前記固定伝送部側に伝送するリング状の第１コイルと、磁界を検出する第１磁界検出素子を備え、
前記固定伝送部は、磁界を発生して前記回転伝送部の前記第１磁界検出素子に伝送すると共に前記第１磁界検出素子に対向して配置されたリング状の第２コイルと、前記回転伝送部の前記第１コイルの発生する磁界を検出すると共に前記第１コイルと対向して配置された第２磁界検出素子を備え、
前記第１磁界検出素子は、前記回転伝送部に埋め込まれて取り付けられ、
前記第２磁界検出素子は、前記固定伝送部に埋め込まれて取り付けられた
ことを特徴とする磁気信号伝送装置を有する回転磁気ドラム装置。
【請求項７】
前記回転伝送部の前記第１コイルと前記第１磁界検出素子は、円盤型のコアに配置され、前記第１磁界検出素子はホール素子または磁気抵抗素子である請求項６に記載の磁気信号伝送装置を有する回転磁気ドラム装置。
【請求項８】
前記固定伝送部の前記第２コイルと前記第２磁界検出素子は、円盤型のコアに配置され、前記第２磁界検出素子はホール素子または磁気抵抗素子である請求項６に記載の磁気信号伝送装置を有する回転磁気ドラム装置。
【請求項９】
前記第１コイルには、前記テープ状の情報記録媒体の信号を再生する再生ヘッドの再生信号が供給される請求項６に記載の磁気信号伝送装置を有する回転磁気ドラム装置。
【請求項１０】
前記第２コイルには、前記テープ状の情報記録媒体に信号を記録するための記録信号が供給される請求項６に記載の磁気信号伝送装置を有する回転磁気ドラム装置。
【請求項１１】
テープ状の情報記録媒体の信号を再生するための回転磁気ドラム装置に配置される磁気信号伝送装置であり、
前記回転磁気ドラム装置の回転体に配置される回転伝送部と、
前記回転伝送部に対面して配置するように前記回転磁気ドラム装置の固定体に配置される固定伝送部と、
を有し、
前記回転伝送部は、磁界を発生して前記固定伝送部側に伝送するリング状のコイルを有し、
前記固定伝送部は、前記回転伝送部の前記コイルの発生する前記磁界を検出すると共に前記コイルと対向して配置された磁界検出素子を備え、
前記磁界検出素子は、前記固定伝送部に埋め込まれて取り付けられた
ことを特徴とする磁気信号伝送装置。
【請求項１２】
前記回転伝送部の前記コイルは、円盤型のコアに配置され、前記固定伝送部の前記磁界検出素子は、円盤型のコアに配置され、前記磁界検出素子はホール素子または磁気抵抗素子である請求項１１に記載の磁気信号伝送装置。
【請求項１３】
前記コイルには、前記テープ状の情報記録媒体の信号を再生する再生ヘッドの再生信号が供給される請求項１１に記載の磁気信号伝送装置。
【発明の詳細な説明】
【０００１】
【発明の属する技術分野】
本発明は、テープ状の情報記録媒体の信号を再生したりテープ状の情報記録媒体に信号を記録するための回転磁気ドラム装置に配置される磁気信号伝送装置およびこの磁気信号伝送装置を有する回転磁気ドラム装置に関するものである。
【０００２】
【従来の技術】
磁気テープに対して情報を記録したり磁気テープの情報を再生するような装置としては、ビデオテープレコーダやテープストリーマ等がある。このような種類の情報記録装置は、磁気テープに対して信号を記録したり、磁気テープの信号を再生するために回転磁気ドラム装置を備えている。
回転磁気ドラム装置は、回転磁気ヘッド装置などともいい、回転ドラムと固定ドラムを有し、たとえば回転ドラムは記録ヘッドと再生ヘッドを有している。記録ヘッドは磁気テープに対して信号を記録するヘッドで、再生ヘッドは磁気テープに記録されている信号を再生するのに用いられる。
【０００３】
回転ドラムはこれらの記録ヘッド及び再生ヘッドを保持し、固定ドラムに対してモータの作動により回転することで、記録ヘッドあるいは再生ヘッドを磁気テープに対して、例えばヘリカルスキャン方式で走査して、磁気テープに対して情報を記録したり磁気テープの情報を再生することができる。このようなヘリカルスキャン方式を採用することにより、磁気テープに対して信号の高密度記録が可能である。
この種の回転磁気ドラム装置では、回転ドラムと固定ドラムの間における信号の伝達は、磁気信号伝送装置の一種であるいわゆるロータリトランスを用いた磁気結合により非接触で行われている。
【０００４】
【発明が解決しようとする課題】
ところで、回転磁気ドラム装置は、さらに大容量化および高転送レート化の要求があり、この要求に答えるために今後回転ドラムと磁気ドラムの間で伝送される信号の高周波数化がより一層進むと予想される。
しかしロータリトランスでは、ロータリトランス自身のインダクタンスとその先に設けられている信号の処理回路のキャパシタンス（集積回路（ＩＣ）の入力容量等）との間で共振が起こり、たとえば１００ＭＨｚ程度までしか信号を伝送することができず、市場で要求されている更なる大容量化および高転送レート化の要求に答えられない。そのためにこのような信号の大容量化および高転送レート化に対応できるロータリトランスのような磁気信号伝送装置が求められている。
そこで本発明は上記課題を解消し、信号の大容量化および高転送レート化が行える磁気信号伝送装置および回転磁気ドラム装置を提供することを目的としている。
【０００５】
【課題を解決するための手段】
請求項１の発明は、テープ状の情報記録媒体の信号を再生したりテープ状の情報記録媒体に信号を記録するための回転磁気ドラム装置に配置される磁気信号伝送装置であり、回転磁気ドラム装置の回転体に配置される回転伝送部と、回転伝送部に対面して配置するように回転磁気ドラム装置の固定体に配置される固定伝送部と、を有し、回転伝送部は、磁界を発生して固定伝送部側に伝送する第１コイルと、磁界を検出する第１磁界検出素子を備え、固定伝送部は、磁界を発生して回転伝送部の第１磁界検出素子に伝送すると共に第１磁界検出素子に対向して配置されたリング状の第２コイルと、回転伝送部の前記第１コイルの発生する磁界を検出すると共に第１コイルと対向して配置された第２磁界検出素子を備えている。そして、第１磁界検出素子は、回転伝送部に埋め込まれて取り付けられ、第２磁界検出素子は、固定伝送部に埋め込まれて取り付けられたことを特徴とする磁気信号伝送装置である。
【０００６】
請求項１では、回転磁気ドラム装置の回転体に配置される回転伝送部は、磁界を発生して固定伝送部側に伝送する第１コイルと、磁界を検出する第１磁界検出素子を備えている。回転磁気ドラム装置の固定体に配置される固定伝送部は、磁界を発生して回転伝送部の第１磁界検出素子に伝送する第２コイルと、回転伝送部の第１コイルの発生する磁界を検出する第２磁界検出素子を備えている。
これにより、従来と異なり回転伝送部と固定伝送部の間での信号伝送は、コイル同士を用いたトランスの磁気結合による信号伝送ではないために、高周波帯域までの伝送が可能となる。しかも回転伝送部と固定伝送部の間における信号伝送が、コイル同士によるトランスの磁気結合の信号伝送ではないために、磁界の変化しないＤＣ信号（直流信号）をも伝送することが可能となる。このことから、回転伝送部と固定伝送部間における信号伝送の大容量化および高転送レート化が図れる。
更に、第１磁界検出素子を、固定伝送部に埋め込むと共に、第２磁界検出素子を、回転伝送部に埋め込んでいる。その結果、固定伝送部及び回転伝送部の磁路が飽和しくにいようにしている。
【０００７】
請求項２の発明は、請求項１に記載の磁気信号伝送装置において、前記回転伝送部の前記第１コイルと前記第１磁界検出素子は、円盤型のコアに配置され、前記第１磁界検出素子はホール素子または磁気抵抗素子である。
請求項２では、回転伝送部の第１コイルと第１磁界検出素子は円盤型のコアに配置されており、第１磁界検出素子はホール素子または磁気抵抗素子である。
【０００８】
請求項３の発明は、請求項１に記載の磁気信号伝送装置において、前記固定伝送部の前記第２コイルと前記第２磁界検出素子は、円盤型のコアに配置され、前記第２磁界検出素子はホール素子または磁気抵抗素子である。
請求項３では、固定伝送部の第２コイルと第２磁界検出素子は、円盤型のコアに配置され、第２磁界検出素子はホール素子または磁気抵抗素子である。
【０００９】
請求項４の発明は、請求項１に記載の磁気信号伝送装置において、前記第１コイルには、前記テープ状の情報記録媒体の信号を再生する再生ヘッドの再生信号が供給される。
請求項４では、第１コイルにはテープ状の情報記録媒体の信号を再生する再生ヘッドの再生信号が供給される。
【００１０】
請求項５の発明は、請求項１に記載の磁気信号伝送装置において、前記第２コイルには、前記テープ状の情報記録媒体に信号を記録するための記録信号が供給される。
請求項５では、第２コイルには、テープ状の情報記録媒体に信号を記録するための記録信号が供給される。
【００１１】
請求項６の発明は、テープ状の情報記録媒体の信号を再生したりテープ状の情報記録媒体に信号を記録するための回転磁気ドラム装置であり、固定体と、固定体に対して回転し、テープ状の情報記録媒体の信号を再生する再生用のヘッド、または再生用のヘッドとテープ状の情報記録媒体に信号を記録する記録用のヘッドを有する回転体と、固定体と回転体の間で非接触で磁気信号のやりとりを行うための磁気信号伝送装置と、を有し、磁気信号伝送装置は、回転体に配置される回転伝送部と、回転伝送部に対面して配置するように固定体に配置される固定伝送部とを有し、回転伝送部は、磁界を発生して固定伝送部側に伝送するリング状の第１コイルと、磁界を検出する第１磁界検出素子を備え、固定伝送部は、磁界を発生して回転伝送部の第１磁界検出素子に伝送すると共に第１磁界検出素子に対向して配置されたリング状の第２コイルと、回転伝送部の前記第１コイルの発生する磁界を検出すると共に第１コイルと対向して配置された第２磁界検出素子を備えている。そして、第１磁界検出素子は、回転伝送部に埋め込まれて取り付けられ、第２磁界検出素子は、固定伝送部に埋め込まれて取り付けられたことを特徴とする磁気信号伝送装置を有する回転磁気ドラム装置である。
【００１２】
請求項６では、回転磁気ドラム装置の回転体に配置される回転伝送部は、磁界を発生して固定伝送部側に伝送する第１コイルと、磁界を検出する第１磁界検出素子を備えている。回転磁気ドラム装置の固定体に配置される固定伝送部は、磁界を発生して回転伝送部の第１磁界検出素子に伝送する第２コイルと、回転伝送部の第１コイルの発生する磁界を検出する第２磁界検出素子を備えている。
これにより、従来と異なり回転伝送部と固定伝送部の間での信号伝送は、コイル同士を用いたトランスの磁気結合による信号伝送ではないために、高周波帯域までの伝送が可能となる。しかも回転伝送部と固定伝送部の間における信号伝送が、コイル同士によるトランスの磁気結合の信号伝送ではないために、磁界の変化しないＤＣ信号（直流信号）をも伝送することが可能となる。このことから、回転伝送部と固定伝送部間における信号伝送の大容量化および高転送レート化が図れる。
更に、第１磁界検出素子を、固定伝送部に埋め込むと共に、第２磁界検出素子を、回転伝送部に埋め込んでいる。その結果、固定伝送部及び回転伝送部の磁路が飽和しくにいようにしている。
【００１３】
請求項７の発明は、請求項６に記載の磁気信号伝送装置を有する回転磁気ドラム装置において、前記回転伝送部の前記第１コイルと前記第１磁界検出素子は、円盤型のコアに配置され、前記第１磁界検出素子はホール素子または磁気抵抗素子である。
請求項７では、回転伝送部の第１コイルと第１磁界検出素子は円盤型のコアに配置されており、第１磁界検出素子はホール素子または磁気抵抗素子である。
【００１４】
請求項８の発明は、請求項６に記載の磁気信号伝送装置を有する回転磁気ドラム装置において、前記固定伝送部の前記第２コイルと前記第２磁界検出素子は、円盤型のコアに配置され、前記第２磁界検出素子はホール素子または磁気抵抗素子である。
請求項８では、固定伝送部の第２コイルと第２磁界検出素子は、円盤型のコアに配置され、第２磁界検出素子はホール素子または磁気抵抗素子である。
【００１５】
請求項９の発明は、請求項６に記載の磁気信号伝送装置を有する回転磁気ドラム装置において、前記第１コイルには、前記テープ状の情報記録媒体の信号を再生する再生ヘッドの再生信号が供給される。
請求項９では、第１コイルにはテープ状の情報記録媒体の信号を再生する再生ヘッドの再生信号が供給される。
【００１６】
請求項１０の発明は、請求項６に記載の磁気信号伝送装置を有する回転磁気ドラム装置において、前記第２コイルには、前記テープ状の情報記録媒体に信号を記録するための記録信号が供給される。
【００１７】
請求項１１の発明は、テープ状の情報記録媒体の信号を再生するための回転磁気ドラム装置に配置される磁気信号伝送装置であり、回転磁気ドラム装置の回転体に配置される回転伝送部と、回転伝送部に対面して配置するように回転磁気ドラム装置の固定体に配置される固定伝送部と、を有し、回転伝送部は、磁界を発生して固定伝送部側に伝送するリング状のコイルを有し、固定伝送部は、回転伝送部のコイルの発生する磁界を検出すると共にコイルと対向して配置された磁界検出素子を備えている。そして、磁界検出素子は、固定伝送部に埋め込まれて取り付けられたことを特徴とする磁気信号伝送装置である。
【００１８】
請求項１１では、回転伝送部は磁界を発生して固定伝送部側に伝送するコイルを有し、固定伝送部は回転伝送部のコイルの発生する磁界を検出する磁界検出素子を備えている。
これにより、テープ状の情報記録媒体の信号を再生する場合に、再生ヘッドの信号をコイルで発生して固定伝送部の磁界検出素子側に磁気結合により非接触で伝送することができる。
これにより、従来と異なりコイル同士によるトランスの磁気結合による信号伝送ではないために、回転伝送部側のコイルに流す電流能力さえあれば高周波数帯域まで信号伝送が可能になるとともに、コイル同士の磁気結合による信号伝送ではないために、磁界の変化しない直流信号を伝送することが可能となる。このことから、信号伝送における大容量化および高転送レート化に対応することができる。また受信側である固定伝送部側にコイルがないので、インダクタンスが存在しないために、受信側にアンプがあった場合にアンプの入力容量を大きくすることができ、入力ノイズを減少させることができる。
更に、磁界検出素子を、固定伝送部に埋め込んでいる。その結果、固定伝送部の磁路が飽和しくにいようにしている。
【００１９】
請求項１２の発明は、請求項１１に記載の磁気信号伝送装置において、前記回転伝送部の前記コイルは、円盤型のコアに配置され、前記固定伝送部の前記磁界検出素子は、円盤型のコアに配置され、前記磁界検出素子はホール素子または磁気抵抗素子である。
【００２０】
請求項１３の発明は、請求項１１に記載の磁気信号伝送装置において、前記コイルには、前記テープ状の情報記録媒体の信号を再生する再生ヘッドの再生信号が供給される。
【００２１】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２２】
図１は、本発明の回転磁気ドラム装置の好ましい実施の形態を示している。図２は、図１の回転磁気ドラム装置１０の断面構造例を示している。
図１と図２の回転磁気ドラム装置１０は、回転磁気ヘッド装置や回転磁気再生装置あるいは回転磁気記録再生装置等ともいい、たとえばビデオテープレコーダ、データストリーマ、デジタルオーディオシステム等に適用されて、テープ状の情報記録媒体である磁気テープＴＰに対して信号を記録したり、磁気テープＴＰに記録されている信号を再生するのに用いられる。
回転磁気ドラム装置１０は、この磁気テープＴＰに記録されている信号を再生するために、１つ以上の再生用のヘッド２０を有し、この磁気抵抗素子ヘッド２０の他に、磁気テープＴＰに対して信号を記録する１つ以上の記録用のヘッド２１も有している。
【００２３】
図２の回転磁気ドラム装置１０は、固定ドラム１、回転ドラム２、ロータリトランス３、およびモータＭを有している。
ヘッド２０および記録用のヘッド２１は、回転ドラム２に搭載されている。固定ドラム１は固定体であり、回転ドラム２は回転体である。回転ドラム２は上ドラムともいい、固定ドラム１は下ドラムともいう。ロータリトランス３は、たとえばパワーロータリトランスであり、いわゆる非接触型の磁気信号伝送装置である。
図１に示すように、磁気テープＴＰは、テープ走行方向ＩＮ（入口側）から入り、固定ドラム１のリードガイド部３に沿って案内された後に、テープ走行方向ＯＵＴに沿って出ていくようになっている。
【００２４】
まず固定ドラム１について説明する。
図２に示す固定ドラム１は、本体１Ａとステータコア３Ａおよび円筒部３０を有している。円筒部３０の中には２組の軸受３２，３４が設けられている。軸受３２，３４の間にはスプリング３６が配置されている。軸受３２，３４のボール３２Ａ，３４Ａは、軸３８を回転可能に支持している。固定ドラム１の内底面には、ロータリトランス３のステータコア３Ａが固定されている。
【００２５】
次に、回転ドラム２について説明する。
図２に示す回転ドラム２は、本体２Ａ、回路基板４０、再生用のヘッド２０や記録用のヘッド２１等を有している。
回転ドラム２の本体２Ａは、固定ドラム１の本体１Ａと同様に、たとえばアルミニウム等の材質で作られている。
ヘッド２０は、再生ヘッドであり、回転ドラム２に対して所定角度をおいて、１つまたは複数個配置されている。
ヘッド２０は、たとえば磁気抵抗素子型の再生ヘッド（ＭＲヘッド）を採用することができる。
【００２６】
この再生用の磁気抵抗素子ヘッドは、再生信号を得る場合には常時バイアス電流を必要とし、磁気抵抗素子ヘッドは、磁界が変化すると抵抗の変化を起こすヘッドであり、信号磁界（入力信号）の変化を抵抗変化に変換して再生出力信号の変化として取り出すことができる。磁気抵抗素子ヘッドは、磁気テープの速度に依存せずに高い安定した再生出力信号を得ることから再生ヘッドとしては有効である。
【００２７】
回転ドラム２の本体２Ａの上部には、回路基板４０が固定されている。本体２Ａの下部には、ロータリトランス３のロータコア３Ｂが固定されている。ロータコア３Ｂは、ステータコア３Ａに対して所定の隙間をおいて対向して配置されている。
回転ドラム２は、軸３８の上部にたとえば圧入により固定されている。
【００２８】
次に、モータＭについて説明する。
モータＭは、ロータ７０とステータ８０を有している。ロータ７０のハウジング７１は、取付部７２により保持されている。ハウジング７１はリング状もしくは円盤状であり、ハウジング７１の内側には、リング状のマグネット７３が固定されている。このマグネット７３は、Ｓ極とＮ極が交互に多極着磁されたものである。取付部７２は、軸３８の下部に圧入により固定されている。
【００２９】
ステータ８０は、ステータ基板８２とコイル８４および鉄芯８６を有している。
ステータ基板８２を通じて、コイル８４に所定のパターンで通電することにより、ロータ７０の駆動用のマグネット７３と、コイル８４との磁気的作用により、ロータ７０はステータ８０に対して連続回転する。ロータ７０が連続回転することにより、軸３８を介して、回転ドラム２が、固定ドラム１に対して軸３８を中心として連続回転するようになっている。
回転ドラム２が連続回転すると、図１の記録用のヘッド２１は、斜めに送られている磁気テープＴＰに対してヘリカルスキャン方式で情報を記録する。再生用のヘッド２０は磁気テープＴＰに記録されている情報を再生することができる。
【００３０】
次に、図２のロータリトランス３について説明する。
ロータリトランス３は、非接触型の磁気信号伝送装置である。ロータリトランス３のステータコア３Ａは、上述したように固定ドラム１側に固定されており、ロータコア３Ｂは、回転ドラム２側に固定されている。図２の実施の形態では、ステータコア３Ａとロータコア３Ｂは、円盤状のコアであり、たとえばフェライトのような透磁性の材料により作られている。ステータコア３Ａとロータコア３Ｂは、所定の間隔をおいて対面しており、信号を非接触で磁気的な誘導により伝送する。
【００３１】
図３は、ロータリトランス３の電気的な接続構成例を示しており、図４は、ロータリトランス３の断面構造例を示し、図５はロータリトランス３のロータコア３Ｂの平面図であり、図６はステータコア３Ａの平面図である。
【００３２】
図５と図６に示すようにロータコア３Ｂとステータコア３Ａは、共に同じ直径を有する円盤状のコアである。ロータコア３Ｂの中央には穴３００が形成されており、ステータコア３Ａの中央にも穴３１０が形成されている。図５と図６の図示例では、ロータコア３Ｂの面３０４には、コイル（巻線ともいう）３２０，３２４が形成されている。コイル３２０，３２４は、第１コイルに相当し、それぞれ別々に磁界を発生して、図６のステータコア３Ａの磁界検出素子４２０，４２４にそれぞれ磁気信号を送るようになっている。
コイル３２０とコイル３２４の間には、１つの磁界検出素子３３０が配置されている。磁界検出素子３３０は、第１磁界検出素子に相当する。コイル３２０とコイル３２４は、ロータコア３Ｂの面３０４において同心円上に形成されており、磁界検出素子３３０がその間に配置されている。
【００３３】
一方、図６のステータコア３Ａの面４０４には１つのコイル４４０が形成されている。このコイル４４０は第２コイルに相当し、コイル４４０が磁界を発生し、図５の磁界検出素子３３０に磁気信号を送るようになっている。コイル４４０の内側と外側には、それぞれ磁界検出素子４２０，４２４が配置されている。磁界検出素子４２０，４２４は、第２磁界検出素子に相当する。
【００３４】
図４に示すように、ロータコア３Ｂ側の信号送信用のコイル３２０，３２４は、ステータコア３Ａの磁界検出素子４２０，４２４に対面した位置にある。ステータコア３Ａのコイル４４０はロータコア３Ｂの磁界検出素子３３０に対応した位置にある。
図４には、コイル３２０と磁界検出素子４２０の間における磁界３６０は矢印で示している。同様にしてコイル４４０と磁界検出素子３３０の間における磁界３６４は矢印で示し、コイル３２４と磁界検出素子４２４の間における磁界３６６は矢印で示している。
【００３５】
磁界３６０はコイル３２０に電流が流れることにより発生する。磁界３６４はコイル４４０に電流が流れることによって発生する。磁界３６６はコイル３２４に電流が流れることにより発生する。
図３を参照すると、一例として回転ドラム２には２つの再生用のヘッド２０が配置され、１つの記録用のヘッド２１も配置されている。
【００３６】
回転ドラム２の中には、再生用のヘッド２０と記録用のヘッド２１、ヘッドアンプ５００，５１０、Ｖ−Ｉ変換器（電圧−電流変換器）６００を有している。固定ドラム１には、アンプ７００，７５０が設けられている。
回転ドラム２において、再生用のヘッド２０はヘッドアンプ５００とＶ−Ｉ変換器６００を介してコイル３２０に接続されている。これにより再生用のヘッド２０が磁気テープから磁気信号を再生した場合には、その再生信号はヘッドアンプ５００で増幅された後に、Ｖ−Ｉ変換器６００で電圧値から電流値に変換されてコイル３２０に供給される。
【００３７】
記録用のヘッド２１はヘッドアンプ５１０を介して磁界検出素子３３０に接続されている。コイル４４０の磁界が送られて磁界検出素子３３０が検出した磁気信号に基づいて、ヘッドアンプ５１０は記録用のヘッド２１により磁気テープに対して信号を記録することができる。
固定ドラム１の磁界検出素子４２０で検出された磁気信号は、電流でありアンプ７００により増幅された後に制御部１００に対して再生信号として送られる。
制御部１００は、アンプ７５０に対して記録用の信号を送り、アンプ７５０はこの記録用の電流信号を増幅してコイル４４０に供給する。これによりコイル４４０に記録用の信号の電流が流れることにより発生する磁界が、磁界検出素子３３０に与えられて、磁界検出素子３３０が磁気信号を検出できる。
磁界検出素子３３０，４２０，４２４は、たとえばホール素子や磁気抵抗素子を用いることができる。
磁気抵抗素子は、磁界が変化すると抵抗の変化を起こし、信号磁界（入力信号）の変化を抵抗変化に変換して出力信号の変化として取り出すことができる。
【００３８】
なお図４〜図６に示すように、ロータコア３Ｂの磁界検出素子３３０は、磁路が飽和しにくいようにロータコア３Ｂに埋め込んでいる。同様にしてステータコア３Ａにおいても、磁路が飽和しにくいように磁界検出素子４２０，４２４はステータコア３Ａに埋め込んでいる。
【００３９】
次に、上述した磁気信号伝送装置であるロータリトランス３を用いて、回転磁気ドラム装置において再生信号の伝送あるいは記録信号の伝送の例について説明する。
図１と図２に示すモータＭが作動して、回転ドラム２が固定ドラム１に対して図１の回転方向Ｒに沿って連続回転して、たとえば磁気テープＴＰに記録されている信号を再生する場合には、再生用のヘッド２０が磁気テープＴＰに記録されている信号を再生する。この場合には、図３に示す再生用のヘッド２０が磁気テープＴＰの信号を検出してヘッドアンプ５００で増幅し、Ｖ−Ｉ変換器６００により電圧を電流の信号に変換した後に、コイル３２０とコイル３２４に電流を流す。このようにコイル３２０，３２４に電流が流れると、図４に示すように磁界３６０，３６６が形成される。この磁界３６０，３６６は、コイル３２０，３２４に流れる電流の大きさに比例した大きさのものが発生する。発生した磁界３６０，３６６は、図４の間隔（ギャップ）Ｇを通してロータコア３Ｂとステータコア３Ａの間に矢印で示すような磁路が生じる。そこでステータコア３Ａの磁界検出素子４２０，４２４が磁界３６０，３６６をそれぞれ検出して、図３に示すアンプ７００により増幅することで、再生信号として制御部１００に送ることができる。
このようにして、回転ドラム２から固定ドラム１に対して再生用のヘッド２０の再生信号を非接触で磁気的に伝送することができる。
【００４０】
また、図１と図２に示すモータを作動して、回転ドラム２が回転方向Ｒに沿って連続回転して、記録用のヘッド２１により磁気テープＴＰに対して新たな信号を記録する場合には、図３の制御部１００がアンプ７５０に対して記録用の信号を供給し、アンプ７５０がその記録用の信号を増幅してコイル４４０に電流を流す。これにより図４に示すコイル４４０の周りに磁界３６４が形成されて磁路が発生する。
磁界検出素子３３０は磁路を通る磁界３６４を検出して図３に示すヘッドアンプ５１０で増幅することにより、記録用のヘッド２１に対して記録用の信号を供給する。記録用のヘッド２１はこの記録用の信号に基づいて磁気テープＴＰに信号を新たに記録する。このようにして、固定ドラム１から回転ドラム２に対して記録用の信号を非接触で伝送することができる。
【００４１】
図３において再生用のヘッド２０で信号を再生する場合においても、あるいは記録用のヘッド２１で信号を記録する場合においても、従来と異なりコイルと磁界検出素子の組み合わせで非接触の磁気信号伝送を行うことができる。
従って従来行っていたコイル同士によるトランスの磁気結合による信号伝送ではないために、送信側であるコイル３２０，４４０，３２４に流す電流供給能力さえあれば高周波数帯域まで信号伝送が可能になる。
また従来と異なり、コイル同士によるトランスの磁気結合による信号伝送ではないために、磁界の変化しないＤＣ信号（直流信号）を伝送することが可能となる。
このことから、市場から求められている回転磁気ドラム装置における磁気信号伝送装置の大容量化、高転送レート化の要求に答えることができ、今後伝送される信号の高周波数化が進んでも十分対応することができる。
【００４２】
図７〜図９は、本発明の別の実施形態を示している。
図３〜図６の実施の形態では、回転磁気ドラム装置が、信号の記録および信号の再生の両方に用いることができる。
これに対して図７〜図９の実施の形態では、磁気テープに記録されている信号を再生するだけの機能を有する回転磁気ドラム装置である。
従って、図７に示すように回転ドラム２には再生用のヘッド２０のみが搭載されており、記録用のヘッド２１は搭載されていない。固定ドラム１には、記録用のヘッド２１に対応する要素は搭載されておらず、再生用のヘッド２０に対応する磁気抵抗素子ヘッド４２０，４２４とアンプ７００が搭載されている。
【００４３】
図８のロータコア３Ｂでは、２つのコイル３２０，３２４がリング状に形成されているが、磁界検出素子は設けられていない。図９に示すステータコア３Ａでは、２つの磁界検出素子４２０，４２４が搭載されているが、コイルは搭載されていない。図８のコイル３２０と図９の磁界検出素子４２０が対応した位置にあり、図８のコイル３２４と図９の磁界検出素子４２４が対応した位置にある。
このような再生専用の回転磁気ドラム装置のためのロータリトランス３を採用する場合には、図９の磁界検出素子４２０，４２４はステータコア３Ａの面４０４側に埋め込まれており、溝は形成されていない。
【００４４】
上述した実施の形態では、信号を受信する受信側には、磁界検出素子を用いているので、ロータコアとステータコアの受信側にはコイルを用いていないことからインダクタンスが存在しないために、受信側のアンプの入力容量を大きくすることができ、入力ノイズを減少させることができる。
また上述した実施の形態では、ロータリトランスのロータコアとステータコアは、共に円盤型のものを採用しているが、これに限らずロータコアとステータコアは共に円筒状の形状を有し同心円上に縦型に配置されるものも採用できる。
図示の実施の形態において採用されているコイルの本数や磁界検出素子の搭載数は、これに限定されるものではなく、信号伝達能力や設計の必要に応じて、コイルの数あるいは磁界検出素子の数を増やしたり減らしたりすることができるのは勿論である。
【００４５】
回転ドラムの固定部と回転部間の信号伝送において、ロータリトランスはコイルの代わりに磁気抵抗素子（ＭＲ素子）などの半導体磁界検出素子を用いることにより、直流（ＤＣ）から高周波までの伝送帯域を持つことができる。
【００４６】
【発明の効果】
以上説明したように、本発明によれば、信号の大容量化および高転送レート化が行える。
【図面の簡単な説明】
【図１】本発明の回転磁気ドラム装置の好ましい実施の形態を示す斜視図。
【図２】図１の回転磁気ドラム装置の断面構造例を示す図。
【図３】回転ドラムと固定ドラムにおける電気的接続例を示す図。
【図４】ロータリトランスのロータコアとステータコアの断面構造例を示す図。
【図５】ロータコアの平面図。
【図６】ステータコアの平面図。
【図７】本発明の磁気信号伝送装置の別の実施の形態を示す図。
【図８】図７のロータリトランスのロータコアの平面図。
【図９】図７のロータリトランスのステータコアの平面図。
【符号の説明】
１・・・固定ドラム（固定体）、２・・・回転ドラム（回転体）、３・・・ロータリトランス（磁気信号伝送装置）、３Ａ・・・ステータコア（固定伝送部）、３Ｂ・・・ロータコア（回転伝送部）、１０・・・回転磁気ドラム装置、２０・・・再生用のヘッド、２１・・・記録用のヘッド、３２０，３２４・・・コイル（第１コイル）、３３０・・・磁界検出素子（第１磁界検出素子）、４２０，４２４・・・磁界検出素子（第２磁界検出素子）、４４０・・・コイル（第２コイル）、ＴＰ・・・磁気テープ（テープ状の情報記録媒体）
【図１】
0004258097.tif 000002
【図２】
0004258097.tif 000003
【図３】
0004258097.tif 000004
【図４】
0004258097.tif 000005
【図５】
0004258097.tif 000006
【図６】
0004258097.tif 000007
【図７】
0004258097.tif 000008
【図８】
0004258097.tif 000009
【図９】
0004258097.tif 000010